(57)【要約】  交換可能な塗布ヘッド（９）と装置本体（２）とを備える美容装置（１）が開示され、装置本体（２）は、モータ及び駆動機構（４）と、作動スイッチ（５、５０）と、電源と、ヘッド認識要素（８）と、作動スイッチ（５）の作動及びヘッド認識素子（８）により認識される塗布ヘッド（９）に基づいてモータ及び駆動機構（４）を制御する制御要素と、を含む。ヘッド認識要素（８）は、装置本体（２）に固定された支持体（１４）上に配置された少なくとも１つの機械式スイッチ（１１、１２、１３）を含むことが定められる。更に、少なくとも１つの機械式スイッチ（１１、１２、１３）の前方に可撓性作動領域（１５）が配置される。交換可能な塗布ヘッド（９）は、交換可能な塗布ヘッド（９）が装置本体（２）に装着されると可撓性作動領域（１５）を介して少なくとも１つの機械式スイッチ（１１、１２、１３）のうちの１つで作動する少なくとも１つの認識発生突起部（３１、３２、３３）を有する。
2019511271.tif 000002
【特許請求の範囲】
【請求項１】
交換可能な塗布ヘッド（９）と装置本体（２）とを備える美容装置であって、
前記装置本体（２）は、モータ及び駆動機構（４）と、作動スイッチ（５、５０）と、電源と、ヘッド認識要素（８）と、前記作動スイッチ（５）の作動及び前記ヘッド認識素子（８）により認識される前記塗布ヘッド（９）に基づいて前記モータ及び駆動機構（４）を制御する制御要素と、を含み、
前記ヘッド認識要素（８）は、前記装置本体（２）に固定された支持体（１４）上に配置された少なくとも１つの機械式スイッチ（１１、１２、１３）を含み、
前記少なくとも１つの機械式スイッチ（１１、１２、１３）の前方に可撓性作動領域（１５）が配置され、
前記交換可能な塗布ヘッド（９）は、前記交換可能な塗布ヘッド（９）が前記装置本体（２）に装着されると、前記可撓性作動領域（１５）を介して前記少なくとも１つの機械式スイッチ（１１、１２、１３）のうちの１つで作動する少なくとも１つの認識発生突起部（３１、３２、３３）を有することを特徴とする、美容装置。
【請求項２】
前記少なくとも１つの機械式スイッチ（１１、１２、１３）の作動方向は、前記モータ及び駆動機構（４）の駆動軸、又は前記装置本体（２）の長手方向軸（６４）に直交して向けられることを特徴とする、請求項１に記載の美容装置。
【請求項３】
前記少なくとも１つの機械式スイッチ（１１、１２、１３）のそれぞれは、前記少なくとも１つの機械式スイッチ（１１、１２、１３）の全てのスイッチング状態のそれぞれが、共にスイッチング状態コントローラによって検知される抵抗網の固有の電圧レベルを定義するように、前記抵抗網の一部である構成要素を切り替えるように構成され、前記スイッチング状態コントローラは前記装置の前記制御要素の一部であり、前記スイッチング状態コントローラは、有利に前記機械式スイッチ（１１、１２、１３）のうちの少なくとも１つが作動されると、前記少なくとも１つの機械式スイッチ（１１、１２、１３）の前記スイッチング状態の変化を検知するように構成されることを特徴とする、請求項１又は２に記載の美容装置。
【請求項４】
前記可撓性作動領域（１５）は少なくとも１つの剛性要素（２１、２２、２３）を有し、各機械式スイッチ（１１、１２、１３）に対して１つの剛性要素（２１、２２、２３）が設けられ、その結果、前記剛性要素（２１、２２、２３）に圧力を加えると、前記剛性要素（２１、２２、２３）が１つの機械式スイッチ（１１、１２、１３）に向かって弾性的に移動して前記機械式スイッチ（２１、２２、２３）をオンにし、前記剛性要素（２１、２２、２３）から前記圧力を解放すると、前記剛性要素（２１、２２、２３）は前記機械式スイッチ（１１、１２、１３）から離れるように弾性的に移動して前記機械式スイッチ（１１、１２、１３）をオフにし、前記剛性要素（２１、２２、２３）に圧力を加えることによって前記交換可能な塗布ヘッド（９）を本体カバー（３）上にクリップ留めしているとき、前記認識発生突起部（３１、３２、３３）は前記可撓性作動領域（１５）内の前記剛性要素（２１、２２、２３）のうちの少なくとも１つで作動することを特徴とする、請求項１〜３のいずれか一項に記載の美容装置。
【請求項５】
前記可撓性作動領域（１５）は少なくとも１つの軟性要素（２０）を有し、前記少なくとも１つの軟性要素（２０）は前記装置の壁部（１６）と前記少なくとも１つの剛性要素（２１、２２、２３）との間に配置され、かつ好ましくは２成分ダイカスト、糊剤接着、前記軟性要素（２０）と前記少なくとも１つの剛性要素（２１、２２、２３）とを組み合わせるフレーム構造体、又は前記要素をクリップ留めすることにより、前記装置の前記剛性要素（２１、２２、２３）及び／若しくは前記壁部（１６）と水密に接続されることを特徴とする、請求項４に記載の美容装置。
【請求項６】
前記装置本体（２）は装置カバー（３）によって閉鎖され、前記装置カバー（３）は、前記塗布ヘッド（９）を前記装置カバー（３）上にクリップ留めすることによる、前記装置本体（２）と前記交換可能な塗布ヘッド（９）との間のインターフェース要素であり、前記装置カバー（３）は、
前記モータ及び駆動機構（４）を機械的並びに／又は電気的に前記塗布ヘッド（９）へと接続するためのシールされた駆動カップリング（４０）と、
前記装置カバー（３）を前記装置本体（２）に固定するために接続手段（４１）と、を備え、
有利に前記装置本体（２）と前記装置カバー（３）との間にはシール（４３）が配置され、前記シール（４３）は、前記装置本体（２）及び／又は前記装置カバー（３）内に固定されることを特徴とする、請求項１〜５のいずれか一項に記載の美容装置。
【請求項７】
前記剛性要素（２１、２２、２３）は、前記装置カバー（３）と一体的に形成された弾性スイッチングリブであることを特徴とする、請求項４又は５及び６に記載の美容装置。
【請求項８】
前記交換可能な塗布ヘッド（９）の軸方向の位置が前記モータ及び駆動機構（４）に未だ係合していない前記交換可能な塗布ヘッド（９）を前記装置カバー（２）上にクリップ留めする間に、前記認識発生突起部（３２）によって前記塗布ヘッド（９）の前記装置カバー（３）に対する軸方向位置で前記機械式スイッチ（１１、１２、１３）が作動されるように、前記可撓性作動領域（１５）内の前記剛性要素（２１、２２、２３）のうちの１つに対して作動する前記認識発生突起部（３１、３２、３３）が前記交換可能な塗布ヘッド（９）内に配設されることを特徴とする、請求項４〜７のいずれか一項に記載の美容装置。
【請求項９】
前記ヘッド認識要素（８）によって認識された前記交換可能な塗布ヘッド（９）に応じて装置機能を初期化するように汎用装置コントローラが構成され、前記汎用装置コントローラは前記装置の前記制御要素の一部であることを特徴とする、請求項１〜８のいずれか一項に記載の美容装置。
【請求項１０】
前記モータ及び駆動機構（４）は、前記交換可能な塗布ヘッド（９）内での少なくとも１つの対向コネクタ（３７、３８）との電気的接続のために、少なくとも１つのコネクタ（１７、１８）を備え、前記汎用装置コントローラは、前記交換可能な塗布ヘッド（９）が前記ヘッド認識要素（８）によって認識された場合にのみ、前記少なくとも１つのコネクタ（１７、１８）に任意の電圧及び／又は電流を供給するように構成されることを特徴とする、請求項９に記載の美容装置。
【請求項１１】
前記汎用装置コントローラは、
オフ／オンの切り替え、
加熱、
冷却、
移動の誘導、
移動速度の選択、の機能のうちの任意の１つ又は複数を含む前記作動スイッチ（５、５０）に特定の機能を割り当てるように構成されることを特徴とする、請求項９又は１０に記載の美容装置。
【請求項１２】
前記作動スイッチ（５０）は少なくとも３つのスイッチングセグメント（５９、６０、６１）を備え、前記スイッチングセグメント（５９、６０、６１）のそれぞれは、互いに独立して作動される１つのボタン（５１、５２、５３）を備えることを特徴とする、請求項１〜１１のいずれか一項に記載の美容装置。
【請求項１３】
前記作動スイッチ（５０）の３つのスイッチングセグメント（５９、６０、６１）の３つのボタン（５１、５２、５３）は、前記装置本体（２）の外面上の１本の直線（６３）上に配置され、前記３つのボタン（５１、５２、５３）の前記線（６３）は、前記装置本体（２）の長手方向軸（６４）と直交する平面内に含まれることを特徴とする、請求項１２に記載の美容装置。
【請求項１４】
前記３つのスイッチングセグメント（５１、５２、５３）は、１つ、２つ、又は３つのカバーセグメント（９０；８０、８１；７０、７１、７２；７３，７４，７５）によって水密に覆われ、
３つのカバーセグメント（７０、７１、７２；７３、７４、７５）を用いて、１つのカバーセグメント（７０、７３）は１つのスイッチングセグメント（６０）又はボタン（５２）をそれぞれ覆い、
２つのカバーセグメント（８０、８１）を用いて、一方のカバーセグメント（８０）は１つのスイッチングセグメント（６０）又はボタン（５２）を覆い、他方のカバーセグメント（８１）は２つのスイッチングセグメント（５９、６１）又はボタン（５１、５３）を覆い、
１つのカバーセグメント（９０）を用いて、前記カバーセグメントは３つのスイッチングセグメント（５９、６０、６１）又はボタン（５１、５２、５３）の全てを覆うことを特徴とする、請求項１２又は１３に記載の美容装置。
【請求項１５】
前記交換可能な塗布ヘッド（９）は、脱毛器ヘッド、ブラシヘッド、スキントーニングヘッド、冷却ヘッド、又は前記モータ及び駆動機構の交互になる左回転と右回転とを組み合わせたツイスタヘッドのうちの１つであることを特徴とする、請求項１〜１４のいずれか一項に記載の美容装置。
【発明の詳細な説明】
【技術分野】
【０００１】
本発明は、少なくとも１つの交換可能な塗布ヘッドを備える美容装置に関する。より具体的には、美容装置は、１つ以上の機能に対応する複数の交換可能な塗布ヘッドを含み得る。交換可能な塗布ヘッドは、例えば、脱毛器ヘッド、ブラシヘッド、スキントーニングヘッド、冷却ヘッド、又はツイスタヘッドのいずれか１つから選択され得る。ヘッドの機能は、機械的若しくは電気的機能、又はそれらの任意の組み合わせを含むことができる。
【背景技術】
【０００２】
米国特許出願公開第２０１４／０１４２４７２Ａ１号では、少なくとも１種類の取り外し可能でかつ交換可能なマッサージヘッドを備えるメッセージ（message）装置が開示されている。ヘッドのマッサージ要素は、装置の本体に収容される駆動機構を介して作動される。この装置は、例えば、ヘッド認識のための機械式センサを含む。これらの機械式センサは、取り外し可能なヘッド内に画定された突起部が直接接触して機械式センサと当接することによって作動される。これにより、マッサージヘッドの種類が認識され得る。装置本体内の制御ボックスが、設置されたマッサージヘッドの種類に基づいてモータ及びその他の装置構成部品を制御する。しかし、このマッサージ装置は、装置本体と取り外し可能なヘッドとの間の境界面に侵入する湿気からは保護されていない。
【先行技術文献】
【特許文献】
【０００３】
【特許文献１】米国特許出願公開第２０１４／０１４２４７２Ａ１号
【発明の概要】
【課題を解決するための手段】
【０００４】
したがって、本発明の１つの目的は、乾燥及び湿潤用途に適した交換可能な塗布ヘッドを有する美容装置を提供することである。
【０００５】
この目的は、好ましくはいくつかの交換可能な塗布ヘッドのうちの少なくとも１つ及び装置本体を備える請求項１に記載の美容装置によって解決され、ここで装置本体は、モータ及び駆動機構と、作動スイッチと、電源（充電式二次電池など）と、ヘッド認識要素と、作動スイッチの作動、及びヘッド認識要素によって認識される塗布ヘッドに基づいてモータ及び駆動機構を制御するように構成された制御要素と、を収容する。
【０００６】
装置本体は、装置カバーによって都合よく水密閉鎖することができ、装置カバーは、例えば塗布ヘッドを装置カバー上にクリップ留めすることによる、装置本体と交換可能な塗布ヘッドとの間のインターフェース要素であり、装置カバーは、モータ及び駆動機構を機械的及び／又は電気的に塗布ヘッドへと接続するためのシールされた駆動カップリングと、装置カバーを装置本体に固定するための接続手段と、を備える。接続手段は、例えば装置本体と形状係合するためのラッチを含むスナップ嵌めであってもよい。装置本体と装置カバーとの間にはシールが有利に配置され、シールは、例えば美容装置の湿潤用途のために、装置本体及び装置カバーを水密閉鎖することで装置本体及び／又は装置カバー内に収容されたあらゆる部品を湿気及び水から保護するために、装置本体及び／又は装置カバー内に固定される。
【０００７】
本提案の１つの重要な態様が請求項１で定義されている。ヘッド認識要素は、装置本体に固定された支持体上に配置された少なくとも１つ、好ましくはいくつかの、具体的には２つ又は３つの機械式スイッチを含む。支持体は、機械式スイッチが装置本体から突出するように設けられ、装置カバーが装置本体に設けられて固定されたときに装置カバーによって覆われるように装置本体に配置された電気回路基板であってもよい。可撓性作動領域が機械式スイッチの前方に配置される。例えば、装置カバーは、（より一般的には装置本体の）装置カバーの壁に、好ましくは装置カバー又は本体の側壁に包含されていてもよい。
【０００８】
可撓性作動領域は剛性及び軟性要素を含んでもよい。各機械式スイッチに１つの剛性要素を設けることで、１つの剛性要素に圧力を加えると、剛性要素が１つの機械式スイッチに向かって弾性的に移動して機械式スイッチをオンにするようにしてもよい（この１つの機械式スイッチだけが作動される、すなわちスイッチを切り替えられるという意味であり、また、１つの剛性要素から圧力を解放すると、剛性要素が機械式スイッチから離れるように弾性的に移動して機械式スイッチをオフにするようにしてもよい）。更に、少なくとも１つの軟性要素を装置カバーの壁部と剛性要素との間に配置して、それにより装置カバー又は本体の側壁部を水密閉鎖し、装置カバー内で剛性要素が弾性的に移動することを可能にしてもよい。いくつかの交換可能な塗布ヘッドのうちの少なくとも１つは、例えば、交換可能な塗布ヘッドを本体カバー上にクリップ留めして剛性要素に圧力を加えたときに可撓性作動領域内の剛性要素のうちの１つで作動させることにより少なくとも１つの機械式スイッチを切り替える、少なくとも１つの認識発生突起部を有する。それぞれの異なる塗布ヘッドが、対応する塗布ヘッドを識別するための機械式スイッチの固有の選択を切り替える認識発生突起部の独特のパターンを有するように、異なるヘッドに、異なる機械式スイッチに属する、又は割り当てられた、異なる認識発生突起部を設けることができる。
【０００９】
こうして、本提案に従い、例えば装置本体及び／又は装置カバーなどの装置と交換可能な塗布ヘッドとの間に電気的又は電磁的な結合が存在しないヘッド認識が提供される。水の存在は部品の電気的又は電子的信号に影響を及ぼしてヘッドの誤認識をもたらす場合があるため、機械的に作動されるスイッチの使用は、特に湿潤環境においてより信頼性の高いヘッド認識方法である。例えば装置カバー、モータ及び駆動機構の壁部又は側壁部などの装置本体の壁部に水密接続された可撓性作動領域を提供することにより、制御部及び装置本体内の他の特に電気的又は電子的な部品は、交換可能な塗布ヘッドと装置本体との間、具体的にはヘッドと装置カバーとの間に侵入する湿気から安全に保護される。交換可能な塗布ヘッドの認識発生突起部を作動領域と反復的に係合させることによって機械式スイッチを作動させるときに軟性要素の材料を機械式な損傷から追加的に保護するために、その軟性（従って可撓性）部分は、本提案の有利な実施形態に従って、剛性要素を塗布ヘッドの認識発生突起部及び機械式スイッチと接触させることによって補強される。
【００１０】
本提案の更なる態様が更なる請求項で言及され、また、本提案による下記の例示的実施形態の詳細な説明にて説明される。これらの態様は、本提案の特定の実施形態を参照して説明されることに留意されたい。これらの実施形態は、本提案の異なる好ましい特徴のうちの１つ以上を実現することができる。説明され、かつ／又は当業者には明白な関連する利益及び効果を有する本提案の様々な態様又は特徴は、本発明から逸脱することなく任意の有用な組み合わせで組み合わせることができる。当業者には、以下の説明及び／又は図面における本開示の様々な態様又は特徴のいかなる組み合わせをも、本提案の特定の態様に、１つ実施形態にその他の態様又は特徴と組み合わせられていない場合であっても有用であることが理解されよう。
【図面の簡単な説明】
【００１１】
【図１】本提案の一実施形態による美容装置の装置本体及び装置カバーの三次元図である。
【図２】装置本体、装置カバー、及び交換可能な塗布ヘッドの三次元分解図である。
【図３】装置本体及び装置カバーの上端部の詳細を備えた図２の拡大図である。
【図４】図１の点線及び矩形「Ａ」によって示される切断方向での、装置本体及び装置本体に固定された装置カバーの断面図である。
【図５Ａ】装置カバーと交換可能な塗布ヘッドが装置本体にクリップ留めされた図４の装置本体の断面図である。
【図５Ｂ】装置カバーと交換可能な塗布ヘッドが装置本体にクリップ留めされた装置本体の断面図である。
【図６】本提案の更なる一態様による、作動スイッチの３つのスイッチングセグメントを示す作動スイッチの３つのボタンを備えて示される装置本体の概略側面図である。
【図７】本提案の一実施形態による、それぞれが１つのボタン及びスイッチングセグメントを覆う３つのカバーセグメントを備える作動スイッチの概略側面図である。
【図８】本提案の別の実施形態による、それぞれが１つのボタン及びスイッチングセグメントを覆う３つのカバーセグメントを備えた作動スイッチの概略側面図である。
【図９】本提案の別の実施形態による、２つのカバーセグメントを備え、一方のカバーセグメントは１つのボタン及び１つのスイッチングセグメントを覆い、他方のカバーセグメントは２つのボタン及び２つのスイッチング要素を覆う他方のカバーセグメントを覆う、作動スイッチの概略側面図である。
【図１０】本提案の一実施形態、別の実施形態による、一方のカバーセグメントが３つ全てのボタン及び３つ全てのスイッチングセグメントを覆う、作動スイッチの概略側面図である。
【発明を実施するための形態】
【００１２】
本発明を、本発明の様々な特徴及び態様を実現する例示的な実施形態によって以下に開示する。
【００１３】
図１は、装置本体２及び装置カバー３からなる美容装置１の一実施例である。装置本体２は、モータ及び駆動機構４、充電式バッテリなどの電源、並びに図１に示されていない制御要素を覆うか又は収容する。装置本体２の表面には、ユーザが要素制御部（element control）に様々な命令を入力するための複数のスイッチングセグメントからなる作動スイッチ５が配置されている。本提案による作動スイッチの様々な態様が、図６〜図１０に関連した本提案による様々な実施形態を記載する際に後ほど説明する。これら全ての様々な実施形態は、図１〜図５Ｂによる本実施形態と組み合わせることができる。
【００１４】
例として示される図１の特定の実施形態では、作動スイッチ５は２つのセグメントカバー６、７を備え、内側セグメントカバー６は外側セグメントカバー７によって包囲される。内側セグメントカバー６は、例えば装置１のスイッチをオン／オフするための１つのスイッチングセグメントを覆う。セグメントカバー７は、例えばモータ及び駆動機構などの左手動作又は右手動作といった他の機能を切り換えるための２つのスイッチングセグメントを覆う。セグメントカバー７に関連する２つのスイッチングセグメントは、セグメントカバー６に隣接する装置本体の中心軸と垂直に、すなわち図１ではセグメントカバー７の下にあるセグメントカバー６の左側及び右側に配向された１つの線上に配置される。
【００１５】
図１の作動スイッチ５の上方には、充電、電源オンといった美容装置１の特定の機能を示すＬＥＤ１０が設けられている。
【００１６】
装置本体２は、装置カバー３にクリップ留めすることが可能な、図２に示す交換可能な塗布ヘッド９を認識するためのヘッド認識要素８を更に備える。図２では、交換可能な塗布ヘッド９の一部のみを実証手段として示している。塗布ヘッドは、当業者に周知であり、本明細書で更に詳細に説明する必要のない、ブラシ、プレートなどの更なる要素を含むことができる。
【００１７】
ヘッド認識要素８及び対応する装置カバー３の可撓性作動領域１５の詳細を、例として以下で図３〜図５Ｂに関連して説明する。交換可能な塗布ヘッド９は、例えば、脱毛器ヘッド、ブラシヘッド、スキントーニングヘッド、冷却ヘッド、又はツイスタヘッドのいずれか１つから選択され得る。ヘッドの機能は、機械的若しくは電気的機能、又はそれらの任意の組み合わせを含むことができる。
【００１８】
ヘッド認識要素８は、機械式スイッチ１１、１２、１３が装置本体２から突出するように配置され、装置カバー３が装置本体２に固定されたときに装置カバー３によって覆われるように、装置本体２に固定された支持体１４上に配置されたいくつかの機械式スイッチ１１、１２、１３を備える。示される実施例では、一例として３つの機械式スイッチ１１、１２、１３が設けられている。しかし、本提案の他の実施形態は、美容装置のための様々な塗布ヘッドを識別するために、必要に応じて任意の他の数の機械式スイッチを含んでもよい。好ましい実施形態は、最大で３つ又は４つの異なる塗布ヘッドを識別するために、１つ〜３つの機械式スイッチ、例えば２つのスイッチを含んでもよい。
【００１９】
有利な実施形態によれば、支持体１４はプリント回路基板であってもよい。示される実施例では、３つの機械式スイッチ１１、１２、１３は、互いに一致し得るか、又は少なくとも平行に配向され得る、装置２の長手方向軸（例えば中心軸線）並びに／又はモータ及び駆動機構４の駆動軸と垂直に配向される１つの線上に配列される。この長手方向軸又は駆動軸に対して、機械式スイッチ１１、１２、１３は、好ましくは支持体１４の突き出た自由端に配置されてもよい。
【００２０】
３つの異なる機械式スイッチ１１、１２、１３によって、８つの異なる交換可能な塗布ヘッド９を示すことのできる８つの異なるスイッチング状態が実現され得る。８つの異なる塗布ヘッドが美容装置１には十分であり得るため、３つの機械式スイッチ１１、１２、１３の数は好ましい数であり得る。しかし、より多く又はより少ない異なる交換可能な塗布ヘッド９が設けられている場合、当業者であれば、異なる交換可能な塗布ヘッド９の数に応じて、機械式スイッチ１１、１２、１３の数を変更するであろう。
【００２１】
装置カバー３は、装置カバー３の壁部１６内に可撓性作動領域１５を備える。示される有利な実施例では、装置カバー３の側壁部内に可撓性作動領域３が実現される。可撓性作動領域１５は、装置カバー３が装置本体２に固定されると機械式スイッチ１１、１２、１３の前方に配置される。本提案によれば、作動領域１５は任意選択的に剛性要素２１、２２、２３と、３つの剛性要素２１、２２、２３の間かつ装置カバー３の側壁部１６と剛性要素２１、２２、２３との間に配置された少なくとも１つの軟性要素２０と、を有してもよい。
【００２２】
本提案によれば、各機械式スイッチ１１、１２、又は１３に対して１つの剛性要素２１、２２、２３がそれぞれ設けられ、剛性要素２１、２２及び／若しくは２３のうちの１つ又は複数に圧力が加えられると、これらが１つの機械式スイッチ１１、１２、及び／又は１３のそれぞれに向かって弾性的に移動して、そのことによって、対応する機械式スイッチ１１、１２、又は１３が切り替わる。これは、１つの剛性要素２１、２２、２３が１つの機械式スイッチ１１、１２、１３のみをそれぞれ切り替えることを意味する。剛性要素２１、２２及び／又は２３から圧力を解放すると、これは対応するスイッチ１１、１２、及び／又は１３から離れるように弾性的に移動し、対応する機械式スイッチ１１、１２、１３をオフにする。
【００２３】
剛性要素２１と２２との間、及び剛性要素２２と２３との間、並びに剛性要素２１、２２、２３と側壁部１６（ここで用語「側壁部」は、例えば上壁部などの装置カバーの任意の壁部要素を含み得る）との間に配置された少なくとも１つの軟性要素２０は、装置カバー３の側壁部１６を水密閉鎖して、装置カバー３内の剛性要素１１、１２、及び／又は１３の、同様に互いに独立したそれぞれの弾性移動を可能にする。
【００２４】
これらの（任意選択的な）剛性要素２１、２２、２３を機械式スイッチ１１、１２、１３の前方で用いると、動力伝達の方向及び経路は正確である。これにより、使用中に塗布ヘッド９による対応する機械式スイッチ１１、１２、１３の確実な切り替えが実現する。剛性要素２１、２２、２３は、例えば糊剤接着、三次元印刷などにより可撓性作動領域２０の軟性要素２０に取り付ける、あるいは具体的には、互いに糊剤接着、クリップ留め、又はヒートシール若しくは溶接することにより互いに水密に取り付けることができる。
【００２５】
図４の断面図では、装置カバー３は装置本体２に固定された状態で示されている。明白なように、可撓性作動領域１５は機械式スイッチ１１、１２、１３の前方に配置され、ここで図４は機械式スイッチ１２を示している。機械式スイッチ１１、１２、１３の前方にありながら機械式スイッチ１１、１２、１３に一切の圧力を加えずに、機械式スイッチ１１、１２、１３のそれぞれの前方に１つの剛性要素２１、２２、２３が配置される（図４は剛性要素２２を示している）。軟性要素２０は、装置カバー３の側壁部１６と、全ての剛性要素２１、２２、２３とを接続する。
【００２６】
図５Ａで明らかなように、交換可能な塗布ヘッド９は、交換可能な塗布ヘッド９が本体カバー３上でクリップ留めされると可撓性作動領域１５内の剛性要素２２（示される実施例中）、２１、及び２３上で作動する少なくとも１つの認識発生突起部３２を備える（対応する認識発生突起部３１及び３３は図示されていない）。したがって、このような認識発生突起部３１、３２、３３（図５Ａには図示されていない）を用いて、それぞれ剛性要素２１、２２、２３に圧力を加えることにより剛性要素２１、２２、２３を機械式スイッチ１１、１２、１３に向けて移動させて、スイッチを別のスイッチング状態に切り替える。
【００２７】
これは、剛性要素２３に作用して機械式スイッチ１３を作動させる１つの認識突起部３３を示す図５Ｂから明らかである。他の２つの機械式スイッチ１１、１２の前方には、剛性要素２１、２２が配置されている。しかし、一例として示されるこの特定の塗布ヘッド９では、機械式スイッチ１１、１２及び剛性要素２１、２２の前方に認識発生突起部３１、３２が設けられていないため、機械式スイッチ１１、１２は機械式スイッチ１３と共に作動しない。この作動及び非作動スイッチのスイッチパターンを使用して、本提案に従い塗布ヘッドを識別することができる。
【００２８】
図１、図４、又は図５Ａから明らかなように、装置本体２は装置カバー３によって閉鎖され、装置カバー３は、塗布ヘッド９を装置カバー２上にクリップ留めすることによる、装置本体２と交換可能な塗布ヘッド９との間のインターフェース要素である。したがって、装置カバー３は、モータ及び駆動機構４を機械的並びに／又は電気的に交換可能な塗布ヘッド９へと接続するためのシールされた駆動カップリング４０を備える。更に、装置カバー３を装置本体２に固定するために接続手段４１が設けられている。図４及び図５Ａから明らかなように、接続手段４１は、装置本体２と形状係合するためのラッチ４２を備えてもよい。こうして、接続手段４１は、本提案の有利な実施形態に従いスナップ嵌めとして実現することができる。
【００２９】
装置本体２と装置カバー３との水密接続のために、装置本体２と装置カバー３との間にシール４３を配置して、シール４３を装置本体２及び／又は装置カバー３内に固定してもよい。示される実施例では、シール４３は、装置本体２の壁部の内面と係合するために装置カバー３の対応するナット内に収容されている。
【００３０】
こうして、本提案に従い、装置本体２（及び装置カバー３）と交換可能な塗布ヘッド９との間に電気的又は電磁的な結合が存在しないヘッド認識が提供される。それでもなお、ヘッド認識要素８を備える機械式スイッチ１１、１２、１３は、これらのスイッチ１１、１２、１３を作動させるための軟性及び（任意選択的な）剛性の要素２０、２１、２２、２３を備える可撓性作動領域１５を設けることにより、湿気から封止される。
【００３１】
機械式スイッチ１１、１２、１３の作動方向は、装置本体２の駆動軸又は長手方向軸に直行して配向することができる。そのため、塗布ヘッド９を装置本体２の長手方向で装置カバー３上にクリップ留めすると、スイッチ１１、１２、１３の作動はこの軸と直交する方向に生じる。この軸は、好ましくはモータ及び駆動機構４の駆動軸と一致するか、あるいはこの駆動軸と平行であってもよい。この配置のために、可撓性作動領域１５は、図２に示すように好適な実施形態によれば、装置カバー３の側壁部１６内に設けられている。
【００３２】
剛性要素２１、２２、２３は、本提案に則した有利な実施形態によれば、装置カバー３と一体的に形成された弾性スイッチングリブである。弾性スイッチングリブ（即ち剛性要素２１、２２、２３）は、装置カバー３の、具体的にはリブの一方の軸方向端部に接続される。軸方向端部は、互いの間で最も長い距離を有する２つのリブ端部である。装置カバー３の側壁部１６と一体的に形成されたリブの軸方向端部は、好ましくは、装置カバー３が装置本体２に固定されているときに装置本体２に向けられている。これにより、装置カバー３の内側に向かうリブ自由端の弾性的可撓性を最大化することができる。
【００３３】
可撓性作動領域１５の少なくとも１つの軟性要素２０は、２成分ダイカスト、溶接、糊剤接着などによって、装置カバーの剛性要素及び／又は側壁部へと水密に連結される。
【００３４】
この提案に則して、機械式スイッチを固定する支持体１４はプリント回路基板である。プリント回路基板は、標準的な技術を用いて装置本体２に取り付けることができて機械式スイッチ１１、１２、１３を支持するのに適した、適切な支持体１４を画定する。更に、プリント回路基板は、機械式スイッチ１１、１２、１３と、美容装置１の制御要素を備える主回路基板へのコネクタとの間の導電路を備えてもよい。代替的な一実施形態では、美容装置１の制御要素又は制御要素の一部もまた、このプリント回路基板１４上に配置されてよい。
【００３５】
本提案に則した、機械式スイッチを備えたヘッド認識を実用的に実現するための特定の一実施形態では、機械式スイッチ１１、１２、１３はそれぞれ抵抗網（図示せず）の一部である構成要素を切り替えるように構成されてもよく、それによって全機械式スイッチ１１、１２、１３の各スイッチング状態が共にスイッチング状態コントローラによって検知される抵抗網の固有の電圧レベルを定義する。なお、スイッチング状態コントローラは美容装置１の制御要素の一部である。
【００３６】
このような抵抗網は、全ての機械式スイッチ１１、１２、１３のスイッチング位置を１回の電圧及び／又は電流測定のみによって確認することができる、信頼性があり、かつ費用効率の高い選択肢である。機械式スイッチ１１、１２、１３がプリント回路基板上に配置されている場合には、全ての機械式スイッチ１１、１２、１３のスイッチ状態を検出するための抵抗網及び／又はスイッチング状態コントローラを同一のプリント回路基板１４上に配置してもよい。続いて、このプリント回路基板の出力は、汎用装置コントローラによって使用され得るヘッド認識値である。スイッチング状態コントローラ及び汎用装置コントローラは共に、美容装置１の制御要素を構築する。両方とも、マイクロプロセッサ又は例えばＡＳＩＣなどの任意の他のプロセッサ装置といったプロセッサユニットに実装してよい。スイッチング状態コントローラ及び汎用装置コントローラはまた、全く同じプロセッサユニットに実装してもよい。当然ながら、本提案に則して、抵抗網及び／又はスイッチング状態コントローラは、機械式スイッチ１１、１２、１３に関する１つ以上の異なる回路基板上に配置されてもよい。
【００３７】
本提案による別の実施形態では、機械式スイッチは、例えば、閉回路の導電率又は電圧レベルを試験することで機械式スイッチのスイッチング状態を試験するために、閉回路内のプロセッサユニットのポートに直接接続されてもよい。
【００３８】
スイッチング状態コントローラは、例えば周期的に、連続的に、並びに／又は美容装置１の使用前及び／若しくは使用中に、機械式スイッチ１１、１２、１３のスイッチング状態を試験するように構成されてもよい。装置１の使用は、装置１をオンにし、汎用装置コントローラを初期化することによって開始できる。本文脈では、用語「使用前」とは、装置１をオンにしたときにヘッド認識のための機械式スイッチ１１、１２、１３の状態の試験が実施されるものと理解することができる。これは、汎用装置コントローラ及び／又はスイッチング状態コントローラによって実施され得る。用語「使用中」とは、機械式スイッチ１１、１２、１３の状態の試験が、装置１をオンにして例えば定められた期間使用した後にも、及び／又はユーザによって実施された塗布ヘッド９の変更を検知するために１回の塗布を停止した後に実施されるものと理解することができる。
【００３９】
機械式スイッチの用語「スイッチング状態を連続的に試験する」とは、装置１の状態とは関係なしに、具体的には装置がオンであるときのあらゆる状態で試験がプリフォーム（preformed）されるものと理解することができる。
【００４０】
上記全ての試験測定は周期的に実施され得る。つまり、試験測定は各測定後の所定の休止期間が終わると繰り返される。所定の休止期間の長さは、装置１中で固定設定されていてもよく、あるいはパラメータ化可能であってもよい。例えば、所定の休止期間の長さは、装置の状態（使用、待機、アプリケーションの種類など）に依存して変化してもよい。
【００４１】
機械式スイッチ１１、１２、１３の状態の試験を、例えば機械式スイッチを搭載した回路基板上に配置されたプロセッサユニット内で、汎用装置コントローラとは異なるスイッチング状態コントローラによって行う場合、汎用装置コントローラは、スイッチング状態コントローラを収容するプロセッサからの通常のデータ通信により認識された塗布ヘッドに応答指令信号を送ることができる。
【００４２】
汎用装置コントローラは、認識された塗布ヘッド９に基づいて、所望の塗布に従って装置１の初期化を選択する。
【００４３】
前に詳述するヘッド認識要素を実現する方法は、本提案の有利な実施形態と考えられる。しかし、当業者は、本発明の範囲を逸脱することなく、ヘッド認識のための機械式スイッチのスイッチング状態を試験する別の方法に気づくであろう。
【００４４】
好ましい実施形態では、スイッチング状態コントローラは、機械式スイッチのうちの少なくとも１つが作動されると、機械式スイッチ１１、１２、１３のスイッチング状態の変化を検知するように構成される。引き続き本提案のこの態様を説明すると、スイッチング状態コントローラは、制御要素、例えば汎用装置コントローラにより読み取り可能な割り込み信号を生成してもよい。これは、例えば塗布ヘッド９が塗布中に取り外されたら美容装置１の機能を停止するために使用され得る。具体的には、塗布ヘッド９の取り外しが認識されたら、交換可能な塗布ヘッド９に含まれるモータ及び駆動機構４、並びに／又は電気及び／若しくは電子部品のための任意の電源電圧を停止され得る。
【００４５】
こうした機能は、機械式スイッチ１１、１２、１３に測定電圧を連続的かつ無中断（すなわち周期的ではない）に印加して、機械式スイッチ１１、１２、１３の状態に依存する測定点で得られた電圧を監視することによって実現することができる。所定の抵抗網の場合、検出された電圧の特定の１つの値は機械式スイッチ１１、１２、１３の全ての特定の１つの状態に対応するため、１つの測定電圧のみしか監視する必要がない。これは周期的な測定の場合にも当てはまる。
【００４６】
様々な塗布ヘッド９を識別するため、本提案によれば、可撓性作動領域１５内の剛性要素２１、２２、２３のうちの１つに作動するその又は好ましくは各認識発生突起部３１、３２、３３は、交換可能な塗布ヘッド９がまだ軸方向の位置ではモータ又は駆動機構４に係合していない状態で装置カバー３に交換可能な塗布ヘッド９をクリップ留めする間に、装置カバー３に対して塗布ヘッド９の軸方向に機械式スイッチ１１、１２、１３が認識発生突起３１、３２、３３によって作動されるように、交換可能な塗布ヘッド９内に配置されるように定められてもよい。こうして、ヘッド認識は、交換可能な塗布ヘッド９とモータ及び駆動機構４とが係合する前、即ち、交換可能な塗布ヘッド９と美容装置１とが機械的及び／又は電気的に接続する前に発生する。これにより、ヘッド９と装置１とが機械的及び／又は電気的に接続する前に、塗布ヘッド９に関する装置の機能をヘッド認識に基づいて制御することが可能となる。その結果、汎用装置制御部（device control）（美容装置１の制御要素の一部としての）又は制御要素は、接続の前に塗布ヘッド９に適した機械的及び／又は電気的状態を選択することができる。その結果、カップリング（すなわち、モータ及び駆動機構４）を予め設定することによって、美容装置１の機能を迅速に起動することが可能となる。これにより、ヘッド９を装置１又は装置カバー３に装着した後に極めて迅速に使用を開始することができる。
【００４７】
代替的な解決法では、ヘッド９を装置１又は装置カバー３にクリップ留めした後に塗布ヘッド９の認識が完了するまで、対応する制御部が装置の全ての機械的及び／又は電気的機能を停止させてもよい。しかしながら、この場合、塗布ヘッド９を実装した後に塗布を開始する際に顕著な遅延が生じる場合があり、これはユーザによって否定的に感じられるおそれがある。
【００４８】
本提案に則して、汎用装置コントローラは、ヘッド認識要素８によって認識された交換可能なヘッド９に応じて装置機能を初期化するように構成することができ、ここで汎用装置コントローラは美容装置１の制御要素の一部である。装置の機能を初期化することは、汎用装置コントローラによって実行される機能命令の実行をトリガすること、及び／又は特定のソフトウェアを実行しているときに任意の他の命令を受信すると、例えば、装置１のユーザ、センサ、又はプロセッサによって実行される特定の機能を初期化することの両方を含む。
【００４９】
本提案の別の態様によれば、モータ及び駆動機構４は、交換可能な塗布ヘッド９内の少なくとも１つの対向コネクタ３７、３８、殆どの場合では少なくとも２つの対向コネクタ３７、３８との電気的接続のために、少なくとも１つのコネクタ１７、１８、殆どの場合では少なくとも２つのコネクタ１７、１８を備えることができる。したがって、汎用装置コントローラは、交換可能な塗布ヘッド９がヘッド認識要素８によって認識された場合にのみ、少なくとも１つのコネクタ１７、１８に任意の電圧及び／又は電流を供給するように構成され得る。
【００５０】
有利な一実施形態では、少なくとも２つのコネクタ１７、１８が設けられ、コネクタ１７、１８の一方は接地され、コネクタ１７、１８のもう一方は、塗布ヘッド９を装置カバー３上にクリップ留めした後に交換可能な塗布ヘッド９に供給電圧を供給するために供給電圧へと切り替えが可能である。電気的機能及び／又は電力負荷を有する交換可能な塗布ヘッド９を認識した後にのみ、接点１７、１８に電圧を供給することにより、電気的機能を有する塗布ヘッド９が美容装置１に設けられていない限り、接点１７、１８は多湿環境下で腐食から保護される。
【００５１】
交換可能な塗布ヘッド９の電気的機能は、塗布ヘッド９において電気エネルギーを必要とする任意の機能であってもよい。機能には、照明、加熱、冷却、エネルギーの貯蔵などが含まれ得る。したがって、本提案による化粧品（cosmetic）の交換可能な塗布ヘッドは、ＬＥＤ又はＬＥＤアレイのような照明装置、ペルチェ素子などの加熱及び／又は冷却素子、二次電池又はコンデンサなどのエネルギー貯蔵素子などを含んでもよい。
【００５２】
接点１７、１８及び対向接点３７、３８は、通常の充電ピンとして形成されていてもよい。こうした充電ピンは、一般的には、装置を例えば充電台に位置決めすることによって、装置内の二次電池を充電するために使用される。
【００５３】
本提案の別の態様によれば、汎用装置コントローラは、
オフ／オンの切り替え、
加熱、
冷却、
例えば左／右の機械的移動を含む移動の誘導、
例えば低速、高速などの移動速度の選択の機能のうちの任意の１つ又は複数を含む作動スイッチ５に、特定の機能を割り当てるように構成されてもよい。
【００５４】
好ましくは、説明済みのヘッド認識要素８によって認識された交換可能な塗布ヘッド９に依存して（dependent of）、これらのとは異なる機能又は更なる機能を作動スイッチ５に割り当ててもよい。したがって、作動スイッチ５に割り当てられた、又は作動スイッチ５によって起きる機能は、機械的及び／又は電気的機能を備えることができる。
【００５５】
本提案による有利な美容装置１では、作動スイッチ５０は、少なくとも３つ、具体的には厳密に３つのスイッチングセグメント５９、６０、６１を備え、スイッチングセグメント５９、６０、６１のそれぞれは、互いに独立して作動される１つのボタン５１、５２、５３を備える。この概念を図６に関連して説明する。これらのボタン５１、５２、５３は、各コントローラがユーザによる各ボタン５１、５２、５３の切り替えを検出するように、プリント回路基板６２上に含まれて、例えば汎用装置制御部などの制御要素に接続されてもよい。ボタン５１、５２、５３を作動させることは、１度に１つだけのボタン５１、５２、５３が作動され得ること、１度に２つ（若しくはそれ以上の）ボタン５１、５２、５３の任意の組み合わせが作動され得ること、又は全て（好ましくは３つ）のボタン５１、５２、５３を一斉に作動され得ることを意味する。ボタンは電子ボタン５１、５２、５３として実現され得る。
【００５６】
複数のボタン５１、５２、５３を同時に作動させることにより、装置１の不要な起動に対する保護（子供から保護及び／又は旅行中での保護）、装置１のパラメータ化のためのメニュー機能、又は装置のリセットなどの機能を起動してもよい。
【００５７】
本提案に則して、上述のとおり、ボタン５１、５２、５３のそれぞれ、及びボタン５１、５２、５３のそれぞれの組み合わせは、装置１の様々な機能のいずれかに割り当てられてよい。ボタン５１、５２、５３、又はボタン５１、５２、５３の組み合わせに割り当てられた機能は、ヘッド認識要素８によって認識される交換可能な塗布ヘッド９に（少なくとも部分的に）依存する。これは本提案による有利な実施形態である。機能の割り当ては、制御要素、例えば装置１の制御要素の汎用装置コントローラによって実施される。制御要素は、ボタン５１、５２、５３に機能を割り当てるようになっている。
【００５８】
本提案に則して、作動スイッチ５０の３つのスイッチングセグメント５９、６０、６１の３つのボタン５１、５２、５３は、装置本体２の外面上の１本の直線６３上に配置され、３つのボタン５１、５２、５３の線６３は、装置本体２又は装置１の長手方向軸６４と直交する平面内に含まれる。図６に示す長手方向軸６４は、図１〜図５に示す実施形態に関して言及された長手方向軸に対応している。しかしながら、明瞭化のためこれらの図に長手方向軸は示されていない。装置１又は装置本体２の長手方向軸６４は、装置本体２の端部から装置カバー３を接続して装置カバー３の反対側の端部まで延在する。この長手方向軸６４は、モータ及び駆動機構４の駆動軸とも一致し得る。
【００５９】
長手方向軸６４（及び／又は駆動軸）と直交する装置本体２の表面上の１本の線６４、又は、より厳密にはこの軸６４と直交する平面上に置かれた１本の線６４上にあるボタン５１、５２、５３を画定することにより、ユーザの手が装置本体２を把持していれば、３つのボタン５１、５２、５３はユーザの手の親指１本によって作動させることができる。
【００６０】
具体的には、装置本体２は、長手方向軸６４を対称軸として円筒様の形状を形成することができ、装置本体２の直径は、長手方向軸６４に沿って変化してもよい。更に、装置本体２は、数値上で理想的な円筒形状からいくらかの変形を有していてもよい。本書ではこれらの形状は、ほぼ二次（quadratic）又は立方形として見え得る場合であっても全て「円筒様の形状」と定義してよい。本提案のこの態様によれば、特に、長手方向軸６４に沿って延在するコンパクトでスリムな美容装置１について、片手操作が可能である。スリムとは、装置１の半径方向での延在が、装置１又は装置本体２の軸方向での延在の約１０倍以上より少ないことを意味する。半径方向での延在は、具体的には約１，５ｃｍ〜約５ｃｍの直径範囲、具体的には２、５〜３ｃｍをカバーするべきである。
【００６１】
本提案に則して、図７〜図９に示すように、好ましくは３つのスイッチングセグメント５９、６０、６１は、１つ、２つ、又は３つのカバーセグメントによって水密に覆われる。
【００６２】
図７及び図８には本提案に則した実施形態が示され、ここでは３つのカバーセグメント（７０、７１、７２；７３、７４、７５）が設けられ、１つのカバーセグメント（７０、７１、７２；７３、７４、７５）は１つのスイッチングセグメント（６０、５９、６１）又はボタン（５２、５１、５３）をそれぞれ覆う。
【００６３】
図７によれば、１つの中央カバーセグメント７０は、作動スイッチ５０の１つのスイッチングセグメント６０又はボタン５２を覆う。２つの側方カバーセグメント７１、７２は、１つのスイッチングセグメント５９、６１又はボタン５１、５３をそれぞれ覆う。２つの側方カバーセグメント７１、７２は中央カバーセグメント７０を包囲して、装置本体２の長手方向軸６４と平行に配向された接続線に沿って互いに接触する。
【００６４】
別の実施形態による図８では、セグメントカバー７３、７４、７５は、三角形状である。中央カバーセグメント７３の先端は、装置カバー３に対向する装置本体２の端部に向けられ、中央カバーセグメント７３は、作動スイッチ５０のスイッチングセグメント６０又はボタン５２を覆う。２つの側方カバーセグメント７４、７５は、１つのスイッチングセグメント５９、６１又はボタン５１、５３をそれぞれ覆う。２つの側方カバーセグメント７４、７５は先端が装置カバー３に向いた逆の先端方向を示し、その結果、カバーセグメント７３、７４の２辺、及びカバーセグメント７５、７３の２辺は互いと整列する。
【００６５】
図９は、作動スイッチ５０の２つのカバーセグメント８０及び８１を備えた本提案による別の実施形態を示し、一方の中央カバーセグメント８０は中央スイッチングセグメント６０又はボタン５２を覆い、他方のカバーセグメント８１は中央カバーセグメント８０を包囲して２つの側方スイッチングセグメント５９、６１又はボタン５１、５３を覆う。有利なことに、中央カバーセグメント８０は円形であり、他方のカバーセグメント８１は中央カバーセグメント８０の円を囲む環状である。
【００６６】
本提案による更なる一実施形態によれば、図１０は１つのカバーセグメント９０を示し、ここで１つのカバーセグメント９０は３つのスイッチングセグメント５９、６０、６１又はボタン５１、５２、５３を全て覆う。１つのカバーセグメント９０は、円形、又はボタン５１、５２、５３の全てを覆う任意の他の形状である。
【００６７】
一般的に、２つのカバーセグメント８０、８１の場合、線６３上に配置されたスイッチングセグメント６０の中央ボタン５２は好ましくは一方のカバーセグメント８０によって覆われ、スイッチングセグメント５９、６１の２つの側方ボタン５１、５３はもう一方のカバーセグメント８１によって覆われる。
【００６８】
全てのカバーセグメント７０、７１、７２；７３、７４、７５；８０、８１；９０は、有利には（advantageous）、対応するスイッチングセグメント５１、５２、５３を水密に覆い、３つのボタン５１、５２、５３の各々の作動を互いに独立して許容する弾性材料からなる。
【００６９】
本提案によれば、中央スイッチングセグメント６０は、デバイスのオン／オフ切り替え機能に割り当てられてもよく、また、側方スイッチングセグメント５９、６１は、異なる移動方向、異なる速度（若しくは速度を低下及び上昇させる、すなわち移動を減速若しくは加速すること）、又は異なる温度（若しくは温度を低下及び上昇させる、すなわち加熱若しくは冷却すること）に割り当てられてもよい。
【００７０】
本明細書に開示した寸法及び値は、記載された正確な数値に厳密に限定されるものと理解されるべきではない。むしろ、特に断らない限り、そのような各寸法は、記載された値とその値の周辺の機能的に同等の範囲の両方を意味するものとする。例えば「４０ｍｍ」として開示される寸法は、「約４０ｍｍ」を意味するものとする。
【００７１】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び変形は、添付の特許請求の範囲にて網羅することを意図したものである。
【図１】
2019511271.tif 000003
【図２】
2019511271.tif 000004
【図３】
2019511271.tif 000005
【図４】
2019511271.tif 000006
【図５Ａ】
2019511271.tif 000007
【図５Ｂ】
2019511271.tif 000008
【図６】
2019511271.tif 000009
【図７】
2019511271.tif 000010
【図８】
2019511271.tif 000011
【図９】
2019511271.tif 000012
【図１０】
2019511271.tif 000013
【国際調査報告】
2019511271.tif 000014
2019511271.tif 000015